(57)【要約】【課題】末端差圧に基づいてポンプの回転数を制御する構成を採用する場合に比較して、設備を簡素化してイニシャルコストを削減する。【解決手段】負荷機器と、冷温水が循環する配管を介して負荷機器に接続された熱源機と、配管に設けられ、負荷機器に供給される冷温水の流量を調整する流量調整弁と、配管に冷温水を循環させる可変速ポンプと、流量調整弁及び可変速ポンプを制御する制御部と、負荷機器に供給される冷温水の流量を制御する第１のデータを制御部から流量調整弁へ伝送する第１の伝送線と、配管に循環させる冷温水全体の圧力及び流量を制御するデータであって第１のデータに応じたデータである第２のデータを制御部から可変速ポンプへ伝送する第２の伝送線とを備えた空調システム。【選択図】図２
2020143853.tif 000002
【特許請求の範囲】
【請求項１】
負荷機器と、
冷温水が循環する配管を介して前記負荷機器に接続された熱源機と、
前記配管に設けられ、前記負荷機器に供給される冷温水の流量を調整する流量調整弁と、
前記配管に冷温水を循環させる可変速ポンプと、
前記流量調整弁及び前記可変速ポンプを制御する制御部と、
前記負荷機器に供給される冷温水の流量を制御する第１のデータを前記制御部から前記流量調整弁へ伝送する第１の伝送線と、
前記配管に循環させる冷温水全体の圧力及び流量を制御するデータであって前記第１のデータに応じたデータである第２のデータを前記制御部から前記可変速ポンプへ伝送する第２の伝送線と
を備えたことを特徴とする空調システム。
【請求項２】
前記制御部は、
前記負荷機器が有する第１制御部と、
前記熱源機が有する第２制御部と
を備えたことを特徴とする請求項１に記載の空調システム。
【請求項３】
前記第１のデータを前記第１制御部から前記第２制御部へ通信する通信線を更に備え、
前記第１の伝送線は、前記第１のデータを前記第１制御部から前記流量調整弁へ伝送し、
前記第２の伝送線は、前記第２のデータを前記第２制御部から前記可変速ポンプへ伝送することを特徴とする請求項２に記載の空調システム。
【請求項４】
温度を計測する計測部を更に備え、
前記制御部は、予め設定された設定温度と、前記計測部により計測された計測温度との差分に基づいて、前記第１のデータを生成することを特徴とする請求項１に記載の空調システム。
【請求項５】
前記制御部は、前記第１のデータとして、前記流量調整弁の開度を生成することを特徴とする請求項１に記載の空調システム。
【請求項６】
前記制御部は、前記流量調整弁の開度に基づいて、前記第２のデータを生成することを特徴とする請求項５に記載の空調システム。
【請求項７】
前記制御部は、複数の前記流量調整弁の開度の最大値が設定値になるように、前記第２のデータを生成することを特徴とする請求項６に記載の空調システム。
【請求項８】
前記制御部は、前記第２のデータとして、前記可変速ポンプの回転数を生成することを特徴とする請求項１に記載の空調システム。
【請求項９】
前記制御部は、前記負荷機器における負荷減少を示す情報に基づいて、前記流量調整弁を強制的に開くように制御することを特徴とする請求項１に記載の空調システム。
【請求項１０】
前記制御部は、前記熱源機の除霜運転を示す情報に基づいて、前記流量調整弁を強制的に開くように制御することを特徴とする請求項１に記載の空調システム。
【請求項１１】
負荷機器と、冷温水が循環する配管を介して当該負荷機器に接続された熱源機と、当該配管に設けられ、当該負荷機器に供給される冷温水の流量を調整する流量調整弁と、当該配管に冷温水を循環させる可変速ポンプと、当該流量調整弁及び当該可変速ポンプを制御する制御部とを含む空調システムにおいて、
前記制御部が、前記負荷機器に供給される冷温水の流量を制御する第１のデータを前記流量調整弁へ伝送するステップと、
前記制御部が、前記配管に循環させる冷温水全体の圧力及び流量を制御するデータであって前記第１のデータに応じたデータである第２のデータを前記可変速ポンプへ伝送するステップと
を含むことを特徴とする空調システムの制御方法。
【請求項１２】
前記制御部は、
前記負荷機器が有する第１制御部と、
前記熱源機が有する第２制御部と
を含み、
前記第１制御部が、前記第１のデータを前記流量調整弁へ伝送するステップと、
前記第１制御部が、前記第１のデータを前記第２制御部へ通信するステップと、
前記第２制御部が、前記第２のデータを前記可変速ポンプへ伝送するステップと
を含むことを特徴とする請求項１１に記載の空調システムの制御方法。
【発明の詳細な説明】
【技術分野】
【０００１】
本発明は、空調システム及びその制御方法に関する。
【背景技術】
【０００２】
複数の負荷機器の入口に配置されたバルブの各々に設けられ、負荷機器の入口における送水と負荷機器の出口における還水との差圧を計測する差圧計測手段と、この差圧計測手段で計測された複数の差圧を比較して、配管末端の末端差圧を特定し、末端差圧に基づいて、ポンプの回転数およびバイパス弁の開度を制御する送水制御装置とを備える送水制御システムは、知られている（例えば、特許文献１）。
【先行技術文献】
【特許文献】
【０００３】
【特許文献１】特開２００９−３０８２１号公報
【発明の概要】
【発明が解決しようとする課題】
【０００４】
末端差圧に基づいてポンプの回転数を制御する構成を採用する場合は、複数の負荷機器の入口に配置されたバルブの各々に差圧計測手段を設ける必要があるので、設備が複雑になりイニシャルコストが高くなる虞がある。
【０００５】
本発明の目的は、末端差圧に基づいてポンプの回転数を制御する構成を採用する場合に比較して、設備を簡素化してイニシャルコストを削減することにある。
【課題を解決するための手段】
【０００６】
かかる目的のもと、本発明は、負荷機器と、冷温水が循環する配管を介して負荷機器に接続された熱源機と、配管に設けられ、負荷機器に供給される冷温水の流量を調整する流量調整弁と、配管に冷温水を循環させる可変速ポンプと、流量調整弁及び可変速ポンプを制御する制御部と、負荷機器に供給される冷温水の流量を制御する第１のデータを制御部から流量調整弁へ伝送する第１の伝送線と、配管に循環させる冷温水全体の圧力及び流量を制御するデータであって第１のデータに応じたデータである第２のデータを制御部から可変速ポンプへ伝送する第２の伝送線とを備えた空調システムを提供する。
【０００７】
制御部は、負荷機器が有する第１制御部と、熱源機が有する第２制御部とを備えた、ものであってよい。その場合、空調システムは、第１のデータを第１制御部から第２制御部へ通信する通信線を更に備え、第１の伝送線は、第１のデータを第１制御部から流量調整弁へ伝送し、第２の伝送線は、第２のデータを第２制御部から可変速ポンプへ伝送する、ものであってよい。
【０００８】
空調システムは、温度を計測する計測部を更に備え、制御部は、予め設定された設定温度と、計測部により計測された計測温度との差分に基づいて、第１のデータを生成する、ものであってよい。
【０００９】
制御部は、第１のデータとして、流量調整弁の開度を生成する、ものであってよい。その場合、制御部は、流量調整弁の開度に基づいて、第２のデータを生成する、ものであってよく、更には、複数の流量調整弁の開度の最大値が設定値になるように、第２のデータを生成する、ものであってよい。
【００１０】
制御部は、第２のデータとして、可変速ポンプの回転数を生成する、ものであってよい。
【００１１】
制御部は、負荷機器における負荷減少を示す情報に基づいて、流量調整弁を強制的に開くように制御する、ものであってよい。
【００１２】
制御部は、熱源機の除霜運転を示す情報に基づいて、流量調整弁を強制的に開くように制御する、ものであってよい。
【００１３】
また、本発明は、負荷機器と、冷温水が循環する配管を介して負荷機器に接続された熱源機と、配管に設けられ、負荷機器に供給される冷温水の流量を調整する流量調整弁と、配管に冷温水を循環させる可変速ポンプと、流量調整弁及び可変速ポンプを制御する制御部とを含む空調システムにおいて、制御部が、負荷機器に供給される冷温水の流量を制御する第１のデータを流量調整弁へ伝送するステップと、制御部が、配管に循環させる冷温水全体の圧力及び流量を制御するデータであって第１のデータに応じたデータである第２のデータを可変速ポンプへ伝送するステップとを含むことを特徴とする空調システムの制御方法も提供する。
【００１４】
空調システムの制御方法は、制御部は、負荷機器が有する第１制御部と、熱源機が有する第２制御部とを含み、第１制御部が、第１のデータを流量調整弁へ伝送するステップと、第１制御部が、第１のデータを第２制御部へ通信するステップと、第２制御部が、第２のデータを可変速ポンプへ伝送するステップとを含む、ものであってよい。
【発明の効果】
【００１５】
本発明によれば、末端差圧に基づいてポンプの回転数を制御する構成を採用する場合に比較して、設備を簡素化してイニシャルコストを削減することができる。
【図面の簡単な説明】
【００１６】
【図１】本発明の実施の形態における空調システムのシステム構成例を示した図である。
【図２】本発明の実施の形態における空調システムの第１の実施の形態における制御構成例を示した図である。
【図３】本発明の第１の実施の形態における制御構成に含まれる空調機制御部の動作例を示したフローチャートである。
【図４】本発明の第１の実施の形態における制御構成に含まれる熱源機制御部の動作例を示したフローチャートである。
【図５】（ａ），（ｂ）は、それぞれ、末端差圧一定制御及び最小差圧制御における弁調整圧力及び理論水動力を示した図である。
【図６】本発明の実施の形態における空調システムの第２の実施の形態における制御構成例を示した図である。
【図７】本発明の第２の実施の形態における制御構成に含まれる空調機制御部の動作例を示したフローチャートである。
【図８】本発明の第２の実施の形態における制御構成に含まれる熱源機制御部の動作例を示したフローチャートである。
【発明を実施するための形態】
【００１７】
以下、添付図面を参照して、本発明の実施の形態について詳細に説明する。
【００１８】
［システム構成］
図１は、本実施の形態における空調システム１のシステム構成例を示した図である。図示するように、本実施の形態における空調システム１のシステム構成は、空調機１０ａ〜１０ｃと、二方弁２０ａ〜２０ｃと、室温調節器３０ａ〜３０ｃと、熱源機４０と、可変速ポンプ５０と、配管６０とを含む。また、本実施の形態における空調システム１のシステム構成は、第１伝送線７１ａ〜７１ｃと、第２伝送線７２と、第３伝送線７３ａ〜７３ｃと、通信線８０とを含む。図では、空調機１０ａ〜１０ｃ、二方弁２０ａ〜２０ｃ、室温調節器３０ａ〜３０ｃ、第１伝送線７１ａ〜７１ｃ、第３伝送線７３ａ〜７３ｃを示したが、これらを区別しない場合は、空調機１０、二方弁２０、室温調節器３０、第１伝送線７１、第３伝送線７３と称することもある。また、図には、空調機１０、二方弁２０、室温調節器３０、第１伝送線７１、第３伝送線７３を３つずつ示したが、これらは２つのみ又は４つ以上であってもよい。
【００１９】
空調機１０は、配管６０に流れる冷温水の熱を用いて、例えば室内の空調を行う機器である。空調機１０には、例えば、ファンコイルユニット（ＦＣＵ）やエアハンドリングユニット（ＡＨＵ）がある。本実施の形態では、負荷機器の一例として、空調機１０を設けている。
【００２０】
二方弁２０は、配管６０に設けられ、空調機１０に流通させる冷温水の流量を調整する弁である。本実施の形態では、流量調整弁の一例として、二方弁２０を設けている。
【００２１】
室温調節器３０は、現在の室内の温度（現在室温）を計測し、設定された室内の温度（設定室温）からの現在室温の偏差に基づいて室温を調節する機器である。本実施の形態では、現在温度の一例として、現在室温を用いており、設定温度の一例として、設定室温を用いており、差分の一例として、偏差を用いている。また、温度を計測する計測部の一例として、室温調節器３０を設けている。
【００２２】
熱源機４０は、冷温水の温度を調節して配管６０に流通させる機器である。冷房時には冷温水の温度を下げ、暖房時には冷温水の温度を上げる。熱源機４０としては、例えば、吸収冷温水機、ヒートポンプ式熱源機等を用いるとよい。また、熱源機４０は、空調機１０における負荷が減少したと判断することもある。例えば、熱源機４０内に流量センサ（不図示）を設け、冷温水の流量が下限流量に達したことを流量センサが検知した場合に、負荷が減少したと判断すればよい。更に、熱源機４０は、運転モードが通常運転モードから除霜（デフロスト）運転モードに変更されたと判断することもある。
【００２３】
可変速ポンプ５０は、配管６０に冷温水を循環させるポンプである。可変速ポンプ５０は、回転式の電動ポンプであり、その流量は回転数（つまり、回転速度）に比例する。可変速ポンプ５０の動力源は、誘導電動機等の電動機であり、回転数はインバータを用いて制御される。
【００２４】
配管６０は、空調機１０と熱源機４０とを接続し、熱源機４０で温度が調節された冷温水が空調機１０に供給されながら循環する管である。
【００２５】
第１伝送線７１は、空調機１０と二方弁２０とを接続し、空調機１０に流れる冷温水の流量を制御するデータを空調機１０から二方弁２０へ送信可能とするデータ線である。第１伝送線７１は、有線に限らず、無線であってもよい。本実施の形態では、第１の伝送線の一例として、第１伝送線７１を設けている。
【００２６】
第２伝送線７２は、熱源機４０と可変速ポンプ５０とを接続し、冷温水全体の圧力及び流量を制御するデータを熱源機４０から可変速ポンプ５０へ送信可能とするデータ線である。第２伝送線７２は、有線に限らず、無線であってもよい。本実施の形態では、第２の伝送線の一例として、第２伝送線７２を設けている。
【００２７】
第３伝送線７３は、空調機１０と室温調節器３０とを接続し、設定室温からの現在室温の偏差を示すデータを室温調節器３０から空調機１０へ送信可能とするデータ線である。第３伝送線７３は、有線に限らず、無線であってもよい。
【００２８】
通信線８０は、空調機１０ａ〜１０ｃと熱源機４０とを接続し、空調機１０ａ〜１０ｃ及び熱源機４０の間でのデータ通信を可能とするデータ線である。以下では、通信線８０を、空調機１０ａ〜１０ｃと熱源機４０とをループ状に接続するデータ線とするが、空調機１０ａ〜１０ｃのそれぞれと熱源機４０とを１対１に接続するデータ線でもよい。通信線８０は、後者のデータ線である場合には、有線に限らず、無線であってもよい。
【００２９】
［第１の実施の形態］
（制御構成）
図２は、図１の空調システム１の第１の実施の形態における制御構成例を示した図である。図示するように、第１の実施の形態における制御構成は、空調機制御部１１ａ〜１１ｃと、二方弁２０ａ〜２０ｃと、室温調節器３０ａ〜３０ｃと、熱源機制御部４１と、可変速ポンプ５０とを含む。また、第１の実施の形態における空調システム１の制御構成は、第１伝送線７１ａ〜７１ｃと、第２伝送線７２と、第３伝送線７３ａ〜７３ｃと、通信線８０とを含む。尚、図では、空調機制御部１１ａ〜１１ｃ、二方弁２０ａ〜２０ｃ、室温調節器３０ａ〜３０ｃ、第１伝送線７１ａ〜７１ｃ、第３伝送線７３ａ〜７３ｃを示したが、これらを区別しない場合は、空調機制御部１１、二方弁２０、室温調節器３０、第１伝送線７１、第３伝送線７３と称することもある。また、図には、空調機制御部１１、二方弁２０、室温調節器３０、第１伝送線７１、第３伝送線７３を３つずつ示したが、これらは２つのみ又は４つ以上であってもよい。
【００３０】
二方弁２０、室温調節器３０、可変速ポンプ５０については、図１を参照して説明したので、説明を省略し、以下では、空調機制御部１１、熱源機制御部４１、第１伝送線７１、第２伝送線７２、第３伝送線７３、通信線８０についてのみ説明する。
【００３１】
空調機制御部１１は、空調機１０が備える制御部であり、ＣＰＵ（不図示）がＲＯＭ（不図示）等に記憶されたプログラムをＲＡＭ（不図示）にロードして実行することにより実現される。空調機制御部１１は、自身に接続された室温調節器３０から第３伝送線７３を介して、負荷要求、つまり、設定室温からの現在室温の偏差を示す偏差情報を受信し、自身に接続された二方弁２０の開度を演算する。ここで、二方弁２０の開度は、ＰＩＤ制御等の公知の手法を用いて演算すればよい。そして、空調機制御部１１は、演算された開度の指令（開度指令）を、第１伝送線７１を介して二方弁２０に送信する。具体的には、負荷要求が大きければ、開度を増加させる開度指令を二方弁２０に送信し、負荷要求が小さければ、開度を減少させる開度指令を二方弁２０に送信する。また、空調機制御部１１は、自身の識別情報と開度とからなる開度情報を、通信線８０に流すことにより熱源機制御部４１に送信する。本実施の形態では、第１のデータの一例として、二方弁２０の開度を用いている。また、第１制御部の一例として、空調機制御部１１を設けている。
【００３２】
熱源機制御部４１は、熱源機４０が備える制御部であり、ＣＰＵ（不図示）がＲＯＭ（不図示）等に記憶されたプログラムをＲＡＭ（不図示）にロードして実行することにより実現される。熱源機制御部４１は、空調機制御部１１ａ〜１１ｃから通信線８０を介して開度情報を受信し、この開度情報に基づいて、二方弁２０ａ〜２０ｃのうちの最も開度の大きな二方弁２０を特定し、この特定された二方弁２０の開度が設定値（例えば９０％程度）になるように、可変速ポンプ５０の回転数を演算する。ここで、可変速ポンプ５０の回転数は、ＰＩＤ制御等の公知の手法を用いて演算すればよい。そして、熱源機制御部４１は、演算された回転数の指令（回転数指令）を、第２伝送線７２を介して可変速ポンプ５０に送信する。具体的には、特定された二方弁２０の開度が設定値（例えば９０％）より小さければ、回転数を減少させる回転数指令を可変速ポンプ５０に送信し、特定された二方弁２０の開度が設定値（例えば９０％）より大きければ、回転数を増加させる回転数指令を可変速ポンプ５０に送信する。本実施の形態では、第２のデータの一例として、可変速ポンプ５０の回転数を用いている。また、第２制御部の一例として、熱源機制御部４１を設けている。
【００３３】
第１伝送線７１は、空調機制御部１１と二方弁２０とを接続し、開度指令を空調機制御部１１から二方弁２０へ送信可能とするデータ線である。
【００３４】
第２伝送線７２は、熱源機制御部４１と可変速ポンプ５０とを接続し、回転数指令を熱源機制御部４１から可変速ポンプ５０へ送信可能とするデータ線である。
【００３５】
第３伝送線７３は、空調機制御部１１と室温調節器３０とを接続し、設定室温からの現在室温の偏差を示す偏差情報を室温調節器３０から空調機制御部１１へ送信可能とするデータ線である。
【００３６】
通信線８０は、空調機制御部１１ａ〜１１ｃと熱源機制御部４１とを接続し、開度情報を空調機制御部１１ａ〜１１ｃから熱源機制御部４１へ送信可能とするデータ線である。尚、実際には、熱源機制御部４１から空調機制御部１１ａ〜１１ｃへもデータを送信可能となっているが、第１の実施の形態では、熱源機制御部４１から空調機制御部１１ａ〜１１ｃへ実質的なデータは送信されないので、通信線８０のこの部分は図示を省略している。
【００３７】
（動作）
図３は、第１の実施の形態における制御構成に含まれる空調機制御部１１の動作例を示したフローチャートである。尚、以下で、空調機１０、二方弁２０、室温調節器３０とは、動作例を示す空調機制御部１１に対応する空調機１０、二方弁２０、室温調節器３０のことをいうものとする。
【００３８】
図示するように、まず、空調機制御部１１は、設定室温からの現在室温の偏差情報を室温調節器３０から受信する（ステップ１１１）。
【００３９】
次に、空調機制御部１１は、ステップ１１１で受信した偏差情報に基づいて、二方弁２０の開度を演算する（ステップ１１２）。そして、ステップ１１２で演算した開度を指令する開度指令を二方弁２０に送信する（ステップ１１３）。
【００４０】
次いで、空調機制御部１１は、空調機１０の識別情報と、ステップ１１２で演算した開度とを含む開度情報を、熱源機制御部４１に送信し（ステップ１１４）、処理を終了する。
【００４１】
図４は、第１の実施の形態における制御構成に含まれる熱源機制御部４１の動作例を示したフローチャートである。尚、以下では、図２に示したように空調機制御部１１として空調機制御部１１ａ〜１１ｃが設けられている場合について説明する。
【００４２】
図示するように、まず、熱源機制御部４１は、開度情報を空調機制御部１１ａ〜１１ｃから受信する（ステップ４１１）。開度情報には各空調機１０の識別情報が含まれているので、熱源機制御部４１は、受信した開度情報から、各空調機１０に接続された二方弁２０の開度を把握できるようになっている。
【００４３】
次に、熱源機制御部４１は、ステップ４１１で受信した開度情報に基づいて、二方弁２０ａ〜２０ｃのうちの開度が最大となっている二方弁２０を特定する（ステップ４１２）。そして、この特定された二方弁２０の開度が設定値（例えば９０％）になるように可変速ポンプ５０の回転数を演算する（ステップ４１３）。
【００４４】
次いで、熱源機制御部４１は、ステップ４１３で演算された回転数を指令する回転数指令を可変速ポンプ５０に送信し（ステップ４１４）、処理を終了する。
【００４５】
（効果）
一般的な方法としては、末端差圧一定制御が考えられる。しかしながら、この方法では、実運転上でどの空調機系統にどれだけの圧力供給が必要とされているのかは不明であるため、設計値の末端差圧を常時供給しなければならない。従って、流量調整のための無駄な弁損失が発生する。
【００４６】
一方、本実施の形態における最小差圧制御では、複数の空調機系統における弁の最大の開度を９０％程度に保つように供給圧力を制御している。従って、流量調整のための弁損失を最小限に抑えることができる。
【００４７】
ここで、末端差圧一定制御と最小差圧制御との効果の違いを、具体的な値を用いて説明する。
【００４８】
図５（ａ），（ｂ）は、それぞれ、末端差圧一定制御及び最小差圧制御における弁調整圧力及び理論水動力を示した図である。尚、図中、系統＃１〜＃３は、それぞれ、例えば、図１の空調機１０ａ〜１０ｃの系統に相当する。
【００４９】
ここでは、設計流量を、系統＃１〜＃３の何れについても２６．７ＬＰＭ（リットル／分）とし、合計８０ＬＰＭとしている。そして、設計差圧は、全ての二方弁２０を全開にして２６．７ＬＰＭで冷温水を流したときの差圧とし、系統＃１〜＃３の何れについても５０ｋＰａとしている。この状態で実際に運用を始めて、実際の流量（実際流量）が、系統＃１については１３ＬＰＭ、系統＃２については２０ＬＰＭ、系統＃３については７ＬＰＭ、合計４０ＬＰＭとなったとする。すると、各系統に必要な差圧（必要差圧）は、系統＃１については１２ｋＰａ、系統＃２については２８ｋＰａ、系統＃３については３ｋＰａとなる。
【００５０】
この場合、末端差圧一定制御では、図５（ａ）に示すように、可変速ポンプ５０が常に設計差圧となるように制御する。即ち、可変速ポンプ５０の制御差圧は、５０ｋＰａとなる。これにより、二方弁２０で流量を調整するための圧力（弁調整圧力）は、系統＃１については３８ｋＰａ、系統＃２については２２ｋＰａ、系統＃３については４７ｋＰａとなる。また、このときの可変速ポンプ５０の理論水動力は３３Ｗとなる。
【００５１】
一方、最小差圧制御では、図５（ｂ）に示すように、系統＃２が最も負荷が大きいので、この系統の二方弁２０の開度が９０％になるように制御する。即ち、可変速ポンプ５０の制御差圧は、２９ｋＰａとなる。これにより、二方弁２０で流量を調整するための圧力（弁調整圧力）は、系統＃２については１ｋＰａとなる。また、このときの可変速ポンプ５０の理論水動力は１９Ｗとなる。
【００５２】
（変形例）
第１の実施の形態では、空調機１０が空調機制御部１１を有し、熱源機４０が熱源機制御部４１を有することとしたが、この限りではない。空調機制御部１１の機能と熱源機制御部４１の機能とを併せ持つ制御部を、空調機１０及び熱源機４０とは独立に設けてもよい。
【００５３】
［第２の実施の形態］
（制御構成）
図６は、図１の空調システム１の第２の実施の形態における制御構成例を示した図である。図示するように、第２の実施の形態における制御構成は、空調機制御部１２ａ〜１２ｃと、二方弁２０ａ〜２０ｃと、室温調節器３０ａ〜３０ｃと、熱源機制御部４２と、可変速ポンプ５０とを含む。また、第２の実施の形態における空調システム１の制御構成は、第１伝送線７１ａ〜７１ｃと、第２伝送線７２と、第３伝送線７３ａ〜７３ｃと、通信線８０とを含む。尚、図では、空調機制御部１２ａ〜１２ｃ、二方弁２０ａ〜２０ｃ、室温調節器３０ａ〜３０ｃ、第１伝送線７１ａ〜７１ｃ、第３伝送線７３ａ〜７３ｃを示したが、これらを区別しない場合は、空調機制御部１２、二方弁２０、室温調節器３０、第１伝送線７１、第３伝送線７３と称することもある。また、図には、空調機制御部１２、二方弁２０、室温調節器３０、第１伝送線７１、第３伝送線７３を３つずつ示したが、これらは２つのみ又は４つ以上であってもよい。
【００５４】
二方弁２０、室温調節器３０、可変速ポンプ５０については、図１を参照して説明したので、説明を省略し、以下では、空調機制御部１２、熱源機制御部４２、第１伝送線７１、第２伝送線７２、第３伝送線７３、通信線８０についてのみ説明する。
【００５５】
空調機制御部１２は、空調機１０が備える制御部であり、ＣＰＵ（不図示）がＲＯＭ（不図示）等に記憶されたプログラムをＲＡＭ（不図示）にロードして実行することにより実現される。熱源機制御部４２から通信線８０を介して、自身の識別情報と、自身に接続された二方弁２０を強制的に開くことを指示する情報とを含む強制開情報を受信した場合に、二方弁２０を強制的に開く指令（強制開指令）を、第１伝送線７１を介して二方弁２０に送信する。加えて、空調機制御部１２は、第１の実施の形態における空調機制御部１１と同様の動作も行う。本実施の形態では、第１制御部の一例として、空調機制御部１２を設けている。
【００５６】
熱源機制御部４２は、熱源機４０が備える制御部であり、ＣＰＵ（不図示）がＲＯＭ（不図示）等に記憶されたプログラムをＲＡＭ（不図示）にロードして実行することにより実現される。熱源機制御部４２は、空調機１０における負荷が減少したと判断した場合や、熱源機４０の運転モードが通常運転モードからデフロスト運転モードに変更されたと判断した場合は、全部又は一部の二方弁２０を強制的に開くよう空調機制御部１２に指示する。具体的には、強制的に開く対象の全部又は一部の二方弁２０（以下、「対象二方弁」という）を決定し、対象二方弁に対応する空調機制御部１２（以下、「対象空調機制御部」という）の識別情報と、対象二方弁を強制的に開くことを指示する情報とを含む強制開情報を、通信線８０に流すことにより対象空調機制御部に送信する。本実施の形態では、負荷機器における負荷減少を示す情報に基づいて流量調整弁を強制的に開くように制御する制御部の一例、又は、熱源機の除霜運転を示す情報に基づいて流量調整弁を強制的に開くように制御する制御部の一例として、熱源機制御部４２を設けている。また、第２制御部の一例として、熱源機制御部４２を設けている。加えて、熱源機制御部４２は、対象二方弁に決定されなかった二方弁２０に対応する空調機制御部１２に対しては、第１の実施の形態における熱源機制御部４１と同様の動作を行う。
【００５７】
第１伝送線７１は、空調機制御部１２と二方弁２０とを接続し、開度指令を空調機制御部１２から二方弁２０へ送信可能とするデータ線である。
【００５８】
第２伝送線７２は、熱源機制御部４２と可変速ポンプ５０とを接続し、回転数指令を熱源機制御部４２から可変速ポンプ５０へ送信可能とするデータ線である。
【００５９】
第３伝送線７３は、空調機制御部１２と室温調節器３０とを接続し、設定室温からの現在室温の偏差を示す偏差情報を室温調節器３０から空調機制御部１２へ送信可能とするデータ線である。
【００６０】
通信線８０は、空調機制御部１２ａ〜１２ｃと熱源機制御部４２とを接続し、開度情報を空調機制御部１２ａ〜１２ｃから熱源機制御部４２へ送信可能とすると共に、強制開情報を熱源機制御部４２から空調機制御部１２ａ〜１２ｃへ送信可能とするデータ線である。
【００６１】
（動作）
図７は、第２の実施の形態における制御構成に含まれる空調機制御部１２の動作例を示したフローチャートである。尚、以下で、空調機１０、二方弁２０、室温調節器３０とは、動作例を示す空調機制御部１２に対応する空調機１０、二方弁２０、室温調節器３０のことをいうものとする。
【００６２】
図示するように、まず、空調機制御部１２は、設定室温からの現在室温の偏差情報を室温調節器３０から受信する（ステップ１２１）。
【００６３】
次に、空調機制御部１２は、強制開情報を熱源機制御部４２から受信したかどうかを判定する（ステップ１２２）。強制開情報には各空調機１０の識別情報が含まれているので、空調機制御部１２は、通信線８０に流れる強制開情報から、自身宛の強制開情報を把握できるようになっている。
【００６４】
その結果、強制開情報を熱源機制御部４２から受信したと判定すれば、空調機制御部１２は、ステップ１２１で受信した偏差情報に関わらず、強制開指令を二方弁２０に送信する（ステップ１２３）。
【００６５】
一方、強制開情報を熱源機制御部４２から受信したと判定しなければ、空調機制御部１２は、ステップ１２１で受信した偏差情報に基づいて、二方弁２０の開度を演算する（ステップ１２４）。そして、ステップ１２４で演算した開度を指令する開度指令を二方弁２０に送信する（ステップ１２５）。
【００６６】
次いで、空調機制御部１２は、空調機１０の識別情報と、ステップ１２３で強制開指令を送信した結果の開度又はステップ１２４で演算した開度とを含む開度情報を、熱源機制御部４２に送信し（ステップ１２６）、処理を終了する。
【００６７】
図８は、第２の実施の形態における制御構成に含まれる熱源機制御部４２の動作例を示したフローチャートである。尚、以下では、図６に示したように空調機制御部１２として空調機制御部１２ａ〜１２ｃが設けられている場合について説明する。
【００６８】
図示するように、まず、熱源機制御部４２は、開度情報を空調機制御部１２ａ〜１２ｃから受信する（ステップ４２１）。開度情報には各空調機１０の識別情報が含まれているので、熱源機制御部４２は、受信した開度情報から、各空調機１０に接続された二方弁２０の開度を把握できるようになっている。
【００６９】
次に、熱源機制御部４２は、冷温水流量が下限流量に到達したかどうかを判定する（ステップ４２２）。そして、冷温水流量が下限流量に到達したと判定しなければ、熱源機４０がデフロスト運転になったかどうかを判定する（ステップ４２３）。
【００７０】
ステップ４２２で冷温水流量が下限流量に到達したと判定した場合、又は、ステップ４２３で熱源機４０がデフロスト運転になったと判定した場合、熱源機制御部４２は、強制開指令を行う対象の二方弁２０である対象二方弁を決定する（ステップ４２４）。ここで、対象二方弁は、予め定められた規則によって決定すればよい。そして、決定された対象二方弁に対応する対象空調機制御部の識別情報と、対象二方弁を強制的に開くことを指示する情報とを含む強制開情報を通信線８０に流すことにより、対象空調機制御部に送信する（ステップ４２５）。
【００７１】
次いで、熱源機制御部４２は、ステップ４２５で強制開情報を送信した対象空調機制御部が全ての空調機制御部であるかどうかを判定する（ステップ４２６）。
【００７２】
その結果、ステップ４２５で強制開情報を送信した対象空調機制御部が全ての空調機制御部であると判定しなければ、まず、熱源機制御部４２は、ステップ４２１で受信した開度情報から、対象空調機制御部以外の空調機制御部１２から受信した開度情報を抽出する（ステップ４２７）。次に、熱源機制御部４２は、対象空調機制御部以外の空調機制御部１２に対応する二方弁２０のうちの開度が最大となっている二方弁２０を特定する（ステップ４２８）。そして、この特定された二方弁２０の開度が設定値（例えば９０％）になるように可変速ポンプ５０の回転数を演算する（ステップ４２９）。次いで、熱源機制御部４２は、ステップ４２９で演算された回転数を指令する回転数指令を可変速ポンプ５０に送信し（ステップ４３０）、処理を終了する。
【００７３】
また、ステップ４２３で熱源機４０がデフロスト運転になったと判定しなかった場合も、対象空調機制御部は存在しないので、熱源機制御部４２は、全ての空調機制御部１２について、ステップ４２７〜４３０を実行し、処理を終了する。
【００７４】
一方、ステップ４２５で強制開情報を送信した対象空調機制御部が全ての空調機制御部であると判定すれば、第１の実施の形態のような制御を行う空調機制御部１２は存在しないので、熱源機制御部４２は、ステップ４２７〜４３０を実行せずに、処理を終了する。
【００７５】
（効果）
第２の実施の形態では、負荷が減少して冷温水の流量が下限流量に達した場合に全部又は一部の二方弁２０を強制的に開くようにしたことにより、最低流量を確保することができるようになった。また、熱源機４０がデフロスト運転になった場合に全部又は一部の二方弁２０を強制的に開くようにしたことにより、デフロストの熱源流量を確保することができるようになった。
【００７６】
（変形例）
第２の実施の形態では、空調機１０が空調機制御部１２を有し、熱源機４０が熱源機制御部４２を有することとしたが、この限りではない。空調機制御部１２の機能と熱源機制御部４２の機能とを併せ持つ制御部を、空調機１０及び熱源機４０とは独立に設けてもよい。
【符号の説明】
【００７７】
１…空調システム、１０…空調機、１１，１２…空調機制御部、２０…二方弁、３０…室温調節器、４０…熱源機、４１，４２…熱源機制御部、５０…可変速ポンプ、６０…配管、７１…第１伝送線、７２…第２伝送線、７３…第３伝送線、８０…通信線
【図１】
2020143853.tif 000003
【図２】
2020143853.tif 000004
【図３】
2020143853.tif 000005
【図４】
2020143853.tif 000006
【図５】
2020143853.tif 000007
【図６】
2020143853.tif 000008
【図７】
2020143853.tif 000009
【図８】
2020143853.tif 000010